(57)【要約】【課題】浅漬け、各種こんにゃく類、その他水を含んでいて水切りをして食する「要水切り食品」を密封包装し、使用時に簡単な操作で水切りが行えてその後に内容物の取り出しを行える、水切り機能を有する包装袋及び包装体。【解決手段】袋本体と、一対の雄型の面状ファスナーと、面状ファスナーのラッチ強度を補強するポイントシールを有してなる。一対の雄型の面状ファスナーは、一方のフック状係合素子が相手のフック状係合素子間の隙間に離脱自在に嵌入して所要のラッチ強度とラビリンス構造の隙間を保有し水切り機能を有している。【選択図】図１
2005324827.tif 000002
【特許請求の範囲】
【請求項１】
袋本体と、該袋本体の上端、側端、又は下端のいずれかに内面対向位置にほぼ全長にわたるように嵌合し閉じた状態に接着されていて所要のラッチ強度とラビリンス構造の隙間を保有して水切り機能を有する一対の面状ファスナーを有し、面状ファスナーを避けたいずれか１つの袋端縁を未シールにしてここを要水きり食品を収納するための開口が確保されていて、面状ファスナーの袋端縁側の近傍を切り開いて水切りするためのノッチがヒートシール部分に設けられているとともに、水切り後に食品の取り出すべく袋本体を大きく切り開けるノッチがヒートシール部分に設けられていることを特徴とする，水切り機能を有する包装袋。
【請求項２】
袋本体と、該袋本体の上端、側端、又は下端のいずれかに内面対向位置にほぼ全長にわたるように嵌合し閉じた状態に接着されていて所要のラッチ強度とラビリンス構造の隙間を保有して水切り機能を有する一対の面状ファスナーを有し、面状ファスナーと一致する袋端縁を未シールにしてここを要水きり食品を収納するための開口が確保されていて、面状ファスナーの袋端縁側の近傍を切り開いて水切りするためのノッチがヒートシール部分に設けられていることを特徴とする，水切り機能を有する包装袋。
【請求項３】
袋本体と、該袋本体の上端、側端、又は下端のいずれかに内面対向位置にほぼ全長にわたるように嵌合し閉じた状態に接着されていて所要のラッチ強度とラビリンス構造の隙間を保有して水切り機能を有する一対の面状ファスナーと、面状ファスナーの内方側の際でかつ長さ方向の適宜個所に袋本体の前面部と後面部とを溶着して面状ファスナーのラッチ強度を補強するポイントシールを有し、面状ファスナーを避けたいずれか１つの袋端縁を未シールにしてここに要水きり食品を収納するための開口が確保されていて、面状ファスナーの袋端縁側の近傍を切り開いて水切りするためのノッチがヒートシール部分に設けられているとともに、水切り後に食品の取り出すべく袋本体を大きく切り開けるノッチがヒートシール部分に設けられていることを特徴とする，水切り機能を有する包装袋。
【請求項４】
前記袋本体は、トップシールと両側のサイドシールが設けられた三方シール袋であって、前記一対の面状ファスナーがトップシールに沿って設けられ、前記面状ファスナーの袋端縁側の近傍を切り開くためのノッチがサイドシール部分に設けられていることを特徴とする，請求項１又は請求項３に記載の水切り機能を有する包装袋。
【請求項５】
前記袋本体は、トップシールとボトムシールと片側のサイドシールが設けられた三方シール袋であって、前記一対の面状ファスナーがトップシールに沿って設けられ、前記面状ファスナーの袋端縁側の近傍を切り開くためのノッチがサイドシール部分に設けられていることを特徴とする，請求項１又は請求項３に記載の水切り機能を有する包装袋。
【請求項６】
前記袋本体は、ボトムシールと両側のサイドシールが設けられた三方シール袋であって、前記一対の面状ファスナーが食品収納後にトップシールが施される予定位置よりも下位置に設けられ、前記面状ファスナーの袋端縁側の近傍を切り開くためのノッチがサイドシール部分に設けられていることを特徴とする，請求項２に記載の水切り機能を有する包装袋。
【請求項７】
前記袋本体は、２枚の積層包材が重ねられて端縁にヒートシールを施されてなる三方シール袋であるか、又は、１枚の積層包材が半折されて端縁にヒートシールを施されてなる三方シール袋であることを特徴とする，請求項４乃至請求項６のいずれか１項に記載の水切り機能を有する包装袋。
【請求項８】
前記袋本体は、ボトムガセットと片側のサイドシールとトップシールを有し、他側のサイドシールについては下部と上部に設けられ中程が要水切り食品を充填するために未シールになっているスタンドパウチであって、前記一対の面状ファスナーがトップシールが施される予定位置の内側に設けられ、前記面状ファスナーの袋上縁側の近傍を切り開くためのノッチがサイドシール部分に設けられていることを特徴とする，請求項１又は請求項３に記載の水切り機能を有する包装袋。
【請求項９】
前記袋本体は、ボトムガセットと両側のサイドシールを有するスタンドパウチであって、前記一対の面状ファスナーが食品収納後にトップシールが施される予定位置の内側に設けられ、前記面状ファスナーの袋端縁側の近傍を切り開くためのノッチがサイドシール部分に設けられていることを特徴とする，請求項２に記載の水切り機能を有する包装袋。
【請求項１０】
前記袋本体は、両側にサイドガセットを有し底部が開いている袋主部と、該袋主部の前面部と後面部の上端外側に重ねて接着され延在していて周囲が密閉している逆さ平袋状の帽子部とからなり、前記一対の面状ファスナーが袋主部と重ならない位置の帽子部の内面に設けられ、前記面状ファスナーの袋上縁側の近傍を切り開くためのノッチが帽子部のヒートシール部分に設けられていることを特徴とする，請求項１又は請求項３に記載の水切り機能を有する包装袋。
【請求項１１】
前記袋本体は、両側にサイドガセットを有し底部が閉じている袋主部と、該袋主部の上端外側に重ねて接着され延在していて上端が開放している平筒状の帽子部とからなり、前記一対の面状ファスナーが袋主部と重ならない位置の帽子部の内面に設けられ、前記面状ファスナーの袋上縁側の近傍を切り開くためのノッチが帽子部のヒートシール部分に設けられていることを特徴とする，請求項２に記載の水切り機能を有する包装袋。
【請求項１２】
前記一対の面状ファスナーは、一方のフック状係合素子が相手のフック状係合素子間の隙間に離脱自在に嵌入して所要のラッチ強度とラビリンス構造の隙間を保有し水切り機能を有している雄型の面状ファスナーであることを特徴とする，請求項１乃至請求項１１のいずれか１項に記載の水切り機能を有する包装袋。
【請求項１３】
三方シール袋又はスタンドパウチであってトップシール又はサイドシールにより通路幅が袋の幅又は丈よりも狭窄な通路であり通路出口が閉塞されている水切り用の排水通路が上縁、側縁又は下縁に形成されている袋本体と、該袋本体の内面対向位置に前記排水通路を横切るように嵌合し閉じた状態に接着されていて所要のラッチ強度とラビリンス構造の隙間を保有して水切り機能を有する一対の面状ファスナーと、面状ファスナーを避けたいずれか１つの袋端縁を未シールにしてここに要水きり食品を収納するための開口が確保されていて、面状ファスナーの袋端縁側の近傍より水切り用の排水通路を切り開くためのノッチがヒートシール部分に設けられているとともに、水切り後に食品の取り出すべく袋本体を大きく切り開けるノッチがヒートシール部分に設けられていることを特徴とする，水切り機能を有する包装袋。
【請求項１４】
三方シール袋又はスタンドパウチであってトップシール又はボトムシールと、サイドシールとにより一つの閉塞したコーナーが水切り用の排水通路として形成されている袋本体と、該袋本体の内面対向位置に前記コーナーを三角形に仕切るように嵌合し閉じた状態に接着されていて所要のラッチ強度とラビリンス構造の隙間を保有して水切り機能を有する一対の面状ファスナーと、面状ファスナーの内方側の際でかつ面状ファスナーの長さ方向の適宜個所に袋本体の前面部と後面部とを溶着して面状ファスナーのラッチ強度を補強するポイントシールを有し、面状ファスナーを避けたいずれか１つの袋端縁を未シールにしてここに要水きり食品を収納するための開口が確保されていて、面状ファスナーの袋端縁側の近傍より水切り用の排水通路を切り開くためのノッチがヒートシール部分に設けられているとともに、水切り後に食品の取り出すべく袋本体を大きく切り開けるノッチがヒートシール部分に設けられていることを特徴とする，水切り機能を有する包装袋。
【請求項１５】
請求項１、請求項３、請求項４、請求項５、請求項８、請求項１０、請求項１３、請求項１４のいずれか一項に記載の、水切り機能を有する包装袋に、多量の水を含んでいる要水切り食品を収納して開口をヒートシールしたことを特徴とする，包装体。
【請求項１６】
請求項２、請求項６、請求項９、請求項１１のいずれか一項に記載の、水切り機能を有する包装袋について、面状ファスナーを開けてここから要水切り食品を収納して面状ファスナーを閉じかつ袋開口をヒートシールしてなり、さらに必要に応じて、面状ファスナーの内方側の際でかつ長さ方向の適宜個所に袋本体の前面部と後面部とを溶着して面状ファスナーのラッチ強度を補強するポイントシールを施したことを特徴とする，包装体。
【発明の詳細な説明】
【技術分野】
【０００１】
本発明は、浅漬け、各種こんにゃく類、その他水を含んでいて水切りをして食する「要水切り食品」を密封包装し、使用時に簡単な操作で水切りが行える、水切り機能を有する包装袋及び包装体に関するものである。
【背景技術】
【０００２】
従来において、面状ファスナーが軟包材（積層プラスチックフィルム）を用いたパッケージに採用された例は殆どない。勿論、面状ファスナーが軟包材（積層プラスチックフィルム）を用いた水切り機能を有する包装袋に採用された例は全くない。従来において、面状ファスナーは、鞄類や靴、衣服やオムツ、各種バンド類に用いられている。
他方、従来、浅漬け、各種こんにゃく類、その他水を含んでいて水切りをして食する「要水切り食品」を密封包装し、使用時に簡単な操作で水切りおよび内容物の取り出しを行える水切り機能を備えた包装袋としては、以下の先行技術文献が１つだけ見つかった。
【特許文献１】特開平１１−１４７５４２号公報  この特許文献に示される水切り機能付き袋は、プラスチックを主とする積層フィルムからなり、外側のヒートシール部と、その内側の非シール部による通液路を備えたヒートシール部とからなる上部ヒートシール部があり、開封時には、先ず外側の所定幅のヒートシール部を切り取り、内側の通液路を備えたヒートシール部を利用して水切りを行うことができ、次いで、内側のヒートシール部を切り取って開口させ、内容物を取り出すことができる。
【発明の開示】
【発明が解決しようとする課題】
【０００３】
上記特許文献１の水切り機能付き袋は、以下の不具合がある。
（１）水切りを行うための通液路が非シール部として構成されているので、袋が膨らんだときには、非シール部が積層フィルムの折れ曲がりにより閉塞することになり、十分短い時間内に水切りが行うことができない不具合がある。
（２）再封性を有していないので、内容物が多量であり、必要量分を取り出して残量を仕舞っておくときには再封できなくて不便である。
【０００４】
本発明は、要水切り食品を密封包装して、使用時に簡単な操作で水切りが行えてその後に内容物の取り出しを行える、水切り機能を有する包装袋及び包装体を提供することにある。特に、従来の水切り機能付き袋に比して、はるかに良好に水切りが行える水切り機能を有する包装袋及び包装体を提供することにある。また、水きりを行う際に、排水通路が開いてしまって食品が水と一緒に飛び出してしまうことがない水切り機能を有する包装袋及び包装体を提供することにある。
また本発明は、要水切り食品を密封包装し、使用時に簡単な操作で水切りが行えてその後に必要量の内容物の取り出しを行えて、残量は取り出さないで水切りを終えたままの状態で再封して保管できる、水切り機能を有する包装袋及び包装体を提供することにある。
【課題を解決するための手段】
【０００５】
本願発明の水切り機能を有する包装袋は、袋本体と一対の面状ファスナーとを備えてなり、さらに必要に応じてポイントシールを付与してなる包装袋とすることにより、要水切り食品を密封包装して、使用時に簡単な操作で水切りが行えてその後に内容物の取り出しを行える、水切り機能を有する包装袋及び包装体を提供できる。
本願発明は、面状ファスナーの長さや取付け位置によって種々の形態に分かれる。
本願発明の水切り機能を有する包装袋として、一対の面状ファスナーが袋本体の上端、側端、又は下端のほぼ全長に設けられる形態としては、
請求項１に示す、袋本体と、該袋本体の上端、側端、又は下端のいずれかに内面対向位置にほぼ全長にわたるように嵌合し閉じた状態に接着されていて所要のラッチ強度とラビリンス構造の隙間を保有して水切り機能を有する一対の面状ファスナーを有し、面状ファスナーを避けたいずれか１つの袋端縁を未シールにしてここを要水きり食品を収納するための開口が確保されていて、面状ファスナーの袋端縁側の近傍を切り開いて水切りするためのノッチがヒートシール部分に設けられているとともに、水切り後に食品の取り出すべく袋本体を大きく切り開けるノッチがヒートシール部分に設けられていることを特徴とする、水切り機能を有する包装袋と、
請求項２に示す、袋本体と、該袋本体の上端、側端、又は下端のいずれかに内面対向位置にほぼ全長にわたるように嵌合し閉じた状態に接着されていて所要のラッチ強度とラビリンス構造の隙間を保有して水切り機能を有する一対の面状ファスナーを有し、面状ファスナーと一致する袋端縁を未シールにしてここを要水きり食品を収納するための開口が確保されていて、面状ファスナーの袋端縁側の近傍を切り開いて水切りするためのノッチがヒートシール部分に設けられていることを特徴とする、水切り機能を有する包装袋と、
請求項３に示す、袋本体と、該袋本体の上端、側端、又は下端のいずれかに内面対向位置にほぼ全長にわたるように嵌合し閉じた状態に接着されていて所要のラッチ強度とラビリンス構造の隙間を保有して水切り機能を有する一対の面状ファスナーと、面状ファスナーの内方側の際でかつ長さ方向の適宜個所に袋本体の前面部と後面部とを溶着して面状ファスナーのラッチ強度を補強するポイントシールを有し、面状ファスナーを避けたいずれか１つの袋端縁を未シールにしてここに要水きり食品を収納するための開口が確保されていて、面状ファスナーの袋端縁側の近傍を切り開いて水切りするためのノッチがヒートシール部分に設けられているとともに、水切り後に食品の取り出すべく袋本体を大きく切り開けるノッチがヒートシール部分に設けられていることを特徴とする、水切り機能を有する包装袋とがある。
そして、請求項１、２、３に記載の包装袋について、三方シール袋の好ましい形態として、
請求項４に示す、前記袋本体は、トップシールと両側のサイドシールが設けられた三方シール袋であって、前記一対の面状ファスナーがトップシールに沿って設けられ、前記面状ファスナーの袋端縁側の近傍を切り開くためのノッチがサイドシール部分に設けられていることを特徴とするもの、
又は、請求項５に示す、前記袋本体は、トップシールとボトムシールと片側のサイドシールが設けられた三方シール袋であって、前記一対の面状ファスナーがトップシールに沿って設けられ、前記面状ファスナーの袋端縁側の近傍を切り開くためのノッチがサイドシール部分に設けられていることを特徴とするもの、
又は、請求項６に示す、前記袋本体は、ボトムシールと両側のサイドシールが設けられた三方シール袋であって、前記一対の面状ファスナーが食品収納後にトップシールが施される予定位置よりも下位置に設けられ、前記面状ファスナーの袋端縁側の近傍を切り開くためのノッチがサイドシール部分に設けられていることを特徴とするものがある。
そして、請求項４乃至請求項６の三方シール袋である袋本体は、２枚の積層包材が重ねられて端縁にヒートシールを施されてなる三方シール袋と、又は、１枚の積層包材が半折されて端縁にヒートシールを施されてなる三方シール袋のいずれも含まれる。（請求項７）
又、請求項１、２、３に記載の包装袋について、スタンドパウチの好ましい形態として、
請求項８に示す、前記袋本体は、ボトムガセットと片側のサイドシールとトップシールを有し、他側のサイドシールについては下部と上部に設けられ中程が要水切り食品を充填するために未シールになっているスタンドパウチであって、前記一対の面状ファスナーがトップシールが施される予定位置の内側に設けられ、前記面状ファスナーの袋上縁側の近傍を切り開くためのノッチがサイドシール部分に設けられていることを特徴とするもの、
又は、請求項９に示す、前記袋本体は、ボトムガセットと両側のサイドシールを有するスタンドパウチであって、前記一対の面状ファスナーが食品収納後にトップシールが施される予定位置の内側に設けられ、前記面状ファスナーの袋端縁側の近傍を切り開くためのノッチがサイドシール部分に設けられていることを特徴とするものがある。
さらに、請求項１、２、３に記載の包装袋について、スタンドパウチ以外の自立性袋の好ましい形態として、
請求項１０に示す、前記袋本体は、両側にサイドガセットを有し底部が開いている袋主部と、該袋主部の前面部と後面部の上端外側に重ねて接着され延在していて周囲が密閉している逆さ平袋状の帽子部とからなり、前記一対の面状ファスナーが袋主部と重ならない位置の帽子部の内面に設けられ、前記面状ファスナーの袋上縁側の近傍を切り開くためのノッチが帽子部のヒートシール部分に設けられていることを特徴とするもの、
又は、請求項１１に示す、前記袋本体は、両側にサイドガセットを有し底部が閉じている袋主部と、該袋主部の上端外側に重ねて接着され延在していて上端が開放している平筒状の帽子部とからなり、前記一対の面状ファスナーが袋主部と重ならない位置の帽子部の内面に設けられ、前記面状ファスナーの袋上縁側の近傍を切り開くためのノッチが帽子部のヒートシール部分に設けられていることを特徴とするものがある。
上述したいずれの水切り機能を有する包装袋も、一対の面状ファスナーが所要のラッチ強度とラビリンス構造の隙間を保有し水切り機能を有している面状ファスナーであれば採用に制限が無く、雄型ファスナーと雌型ファスナーとの組み合わせ、又は、雄型ファスナーと雄型ファスナーとの組み合わせとすることができる。
特に、再封性を必要とする場合には、請求項１２に示す、一対の面状ファスナーを、一方のフック状係合素子が相手のフック状係合素子間の隙間に離脱自在に嵌入して所要のラッチ強度とラビリンス構造の隙間を保有し水切り機能を有している雄型の面状ファスナーとすることが好ましい。
次に、本願発明の水切り機能を有する包装袋として、一対の面状ファスナーが袋本体の一辺に平行して該一辺よりも短く設けられる形態としては、
請求項１３に示す、三方シール袋又はスタンドパウチであってトップシール又はサイドシールにより通路幅が袋の幅又は丈よりも狭窄な通路であり通路出口が閉塞されている水切り用の排水通路が上縁、側縁又は下縁に形成されている袋本体と、該袋本体の内面対向位置に前記排水通路を横切るように嵌合し閉じた状態に接着されていて所要のラッチ強度とラビリンス構造の隙間を保有して水切り機能を有する一対の面状ファスナーと、面状ファスナーを避けたいずれか１つの袋端縁を未シールにしてここに要水きり食品を収納するための開口が確保されていて、面状ファスナーの袋端縁側の近傍より水切り用の排水通路を切り開くためのノッチがヒートシール部分に設けられているとともに、水切り後に食品の取り出すべく袋本体を大きく切り開けるノッチがヒートシール部分に設けられていることを特徴とする、水切り機能を有する包装袋がある。
次に、本願発明の水切り機能を有する包装袋として、一対の面状ファスナーが袋本体の一つのコーナーに斜めに短く設けられる形態としては、
請求項１４に示す、三方シール袋又はスタンドパウチであってトップシール又はボトムシールと、サイドシールとにより一つの閉塞したコーナーが水切り用の排水通路として形成されている袋本体と、該袋本体の内面対向位置に前記コーナーを三角形に仕切るように嵌合し閉じた状態に接着されていて所要のラッチ強度とラビリンス構造の隙間を保有して水切り機能を有する一対の面状ファスナーと、面状ファスナーの内方側の際でかつ面状ファスナーの長さ方向の適宜個所に袋本体の前面部と後面部とを溶着して面状ファスナーのラッチ強度を補強するポイントシールを有し、面状ファスナーを避けたいずれか１つの袋端縁を未シールにしてここに要水きり食品を収納するための開口が確保されていて、面状ファスナーの袋端縁側の近傍より水切り用の排水通路を切り開くためのノッチがヒートシール部分に設けられているとともに、水切り後に食品の取り出すべく袋本体を大きく切り開けるノッチがヒートシール部分に設けられていることを特徴とする、水切り機能を有する包装袋がある。
上述したいずれの水切り機能を有する包装袋も、一対の面状ファスナーが所要のラッチ強度とラビリンス構造の隙間を保有し水切り機能を有している面状ファスナーであれば採用に制限が無く、雄型ファスナーと雌型ファスナーとの組み合わせ、又は、雄型ファスナーと雄型ファスナーとの組み合わせとすることができる。
本願発明は、包装袋のみでなく、上述した本願発明のいずれかの水切り機能を有する包装袋に、要水きり食品を収納して開口をシールしてなる包装体を提供するものである。
それは、
請求項１、請求項３、請求項４、請求項５、請求項８、請求項１０、請求項１３、請求項１４のいずれか一項に記載の、水切り機能を有する包装袋に、多量の水を含んでいる要水切り食品を収納して開口をヒートシールしたことを特徴とする，包装体であるか、（請求項１５）、
又は、請求項２、請求項６、請求項９、請求項１１のいずれか一項に記載の、水切り機能を有する包装袋について、面状ファスナーを開けてここから要水切り食品を収納して面状ファスナーを閉じかつ袋開口をヒートシールしてなり、さらに必要に応じて、面状ファスナーの内方側の際でかつ長さ方向の適宜個所に袋本体の前面部と後面部とを溶着して面状ファスナーのラッチ強度を補強するポイントシールを施したことを特徴とする，包装体である。（請求項１６）、
【発明の効果】
【０００６】
(1) 請求項１乃至１４に記載の水切り機能を有する包装袋及び請求項１５、１６に記載の包装体は、いずれも、食品を食する際に、面状ファスナーの外側近傍を引き裂き開封して袋を逆さにするだけの簡単な操作で水切りが行うことができるという共通の効果がある。  本願発明は、中袋用、大袋用では面状ファスナーの内側近傍にポイントシールを施してラッチ強度を補強しているから、水切り時に面状ファスナーが開いて中身の食品が飛び出してしまう惧れがない。
本願発明では、袋が膨らんでヒートシールの際で積層フィルムに折れ曲がりが生じても、面状ファスナーのラビリンスの隙間が確保されるので水切り用の排水通路が確保され水切りが短時間に行うことができるから、特許文献１（特開平１１−１４７５４２号公報）の水切り機能付き袋が有している不具合、水切りを行うための通液路が非シール部として構成されていて、袋が膨らんだときにヒートシールの際で積層フィルムに折れ曲がりが生じて水切りを行うための通液路が閉塞してしまうことになるという、不具合が、本願発明では解消されており、水きり機能が従来品よりも優れている。
(2) 請求項１乃至１１に記載の水切り機能を有する包装袋及びその包装体は、面状ファスナーが袋の一辺のほぼ全長に等しい長さとなるように設けてあるので再封性を有している。すなわち、一度に全量の食品を消費する場合には、面状ファスナーを開けてここから要水切り食品を必要量取り出し、残りは水切りしたままで面状ファスナーを閉じて仕舞っておくことができる。他方、一度に全量の食品を消費する場合には、再封の必要が無いから、面状ファスナーを避けた一辺を切り開いてここから水切りした食品を全量取り出すことができる。このため、請求項１乃至１１に記載の水切り機能を有する包装袋及びその包装体の、一対の雄型の面状ファスナーは、雄型の面状ファスナーと雌型の面状ファスナーとの組み合わせ、又は雄型の面状ファスナーと雄型の面状ファスナーとの組み合わせ、のいずれであっても良い。
請求項１２に記載の水切り機能を有する包装袋及びその包装体は、一対の雄型の面状ファスナーの使用に限定されており、一度に少量ずつ消費するため再封性が必要な袋に好適である。これは以下の理由による。
雄型の面状ファスナーと雌型の面状ファスナーとの組み合わせでは、ファスナーの嵌合・離脱を多数回反復すると、雌型の面状ファスナーのループの先が切れて微塵が発生し該微塵が水切りした食品に混ざってしまう惧れがあるが、雄型の面状ファスナーと雄型の面状ファスナーとの組み合わせではそのような微塵が発生することが無く食の安全が確保される。
請求項１乃至１１に記載の水切り機能を有する包装袋及びその包装体であって、ポイントシールを設けないものは、小袋用に好適である。具体的には、例えば、内容積が約７００ｍｍリットル以下で袋幅が約１３０ｍｍ以下の小袋に好適である。面状ファスナーは、線状ファスナーに比べてファスナーを開く力を分散して負担するので、内容積が約７００ｍｍリットル位のとき、袋幅が約１３０ｍｍ位までは内容物の圧力で開いてしまう惧れがない。もしも仮に、線状ファスナーに穴をあけて水切り機能を有するようにしたとすると、ファスナーを開く力が集中し一端開くと全長に渡り一気に開いてしまう。
又、請求項１乃至１１に記載の水切り機能を有する包装袋及びその包装体であって、ポイントシールを設けるものは、中袋用、大袋用に好適である。具体的には、例えば、内容積が約７００ｍｍリットル以上で袋幅が約１３０ｍｍ以上の小袋に好適である。
本願発明の包装袋は、面状ファスナーのラッチ強度を大きくすれば、ポイントシールを設けなくても、中袋さらには大袋にも適用できるようになるが、面状ファスナーの嵌合離脱がきつくなるので、適度のラッチ強度を有する面状ファスナーを取り付ける場合には、請求項３の発明が有効であり好適である。
請求項１３，１４に記載の水切り機能を有する包装袋及びその包装体は、一対の雄型の面状ファスナーが短いので、小袋用、中袋用、大袋用を問わず再封機能が不要な袋に好適である。
【発明を実施するための最良の形態】
【０００７】
本願発明の水切り機能を有する包装袋及び包装体の実施の形態を図面を参照して説明する。
まず、水切り機能を有する包装袋及び包装体について、第１の実施の形態を図１を参照して説明する。（請求項１、３、４参照）、
第１の実施の形態に係る水切り機能を有する包装袋Ｐ１は、三方シール袋である袋本体１と、該袋本体１の内部の上部に接着された一対の面状ファスナー２を有してなる。袋本体１は、前面部１ａと後面部１bを、遮水性を備えるべく矩形な積層包材で形成してかつ内面をヒートシール性を有する樹脂フィルムとして、内面同士を重ねてサイドシール１ｃ，１ｄ及びトップシール１ｅを施してなる。（請求項４参照）
この包装体Ｐ１は、面状ファスナー２を避けた袋下縁を未シールにしてここを要水きり食品を収納するための開口が確保されているタイプなので、ポイントシール３が設けなくても良い小袋用と、ポイントシール３を設ける必要がある中袋用、大袋用とがある。
袋本体１には、サイドシール１ｃ，１ｄの上部と下部にノッチ１ｆ、１ｇが設けられている。ノッチ１ｆは、食品を食する際に、トップシール１ｅと一対の面状ファスナー２との間を切り開くためのもので、又、ノッチ１ｇは、水切り後の食品を袋底部から取り出すべく切り開くためのものである。なお、ノッチ１ｇを面状ファスナー２よりも僅か下位置になるように設けても良い。再封性を必要とするときには、ノッチ１ｇを設けない。
一対の面状ファスナー２は、サイドシール１ｃ，１ｄ及びトップシール１ｅを施す前に、袋本体１の内部の上部に嵌着状態に挿入して取付けてある。
一対の面状ファスナー２は、雄−雌嵌合タイプ（フック・ループ嵌合タイプ）のファスナーと、雄−雄嵌合タイプ（フック・フック嵌合タイプ）のファスナーのいずれであっても良いが、以下の点から、好ましくは雄−雄嵌合タイプを用いる。
雄型の面状ファスナーは、ベース部と該ベース部の片面に隆起する数条の突条部を押出成形機で成形してからインラインで各突条部に対して細かく断続する切り込みを付与し次いでベース部をローラーにより引き伸ばすることにより、前記突条部を細かく断続する切り込み個所に隙間を与えて、掛止用突部を複数列に並設した状態に製造するものであり、一方の雄型の面状ファスナーの掛止用突部が他方の掛止用突部間隙間に嵌合し得る。
一対の面状ファスナー２が、雄−雌嵌合タイプであると、ファスナーを開くときに、フックによってループが切れて微塵が発生し、食品に混入する惧れがあるから、微塵が発生する惧れがない雄−雄嵌合タイプのファスナーに限定する方が好ましい。
一対の面状ファスナー２は、ポリプロピレンあるいはポリエチレンからなり、延伸が十分に行われていない製品なので、ヒートシール性を有しており、ベース部の外面を袋本体１の内面に直接にヒートシールすることができる。ただし、面状ファスナー２の材質に袋本体１の内面の材質を合わせる必要がある。
面状ファスナー２の袋本体１の内面への取り付けは、突状部が分散していてシール力を加えても座屈しないので、小さなシール力ですぐに座屈してしまいスペーサーを内側に挿入してヒートシールを行う必要がある線状ファスナーに比べて極めて容易であり、ベース部の外面を袋本体Ｐ１の内面に直接にヒートシールすることができる。
一対の面状ファスナー２の袋本体１への取り付けは、袋上端の開口が最大に確保できる長さとなるように有している。つまり、一対の面状ファスナー２は袋幅一杯に設けられている。図では、一対の面状ファスナー２の両端部が袋本体の両側縁のシール部と交差しないで内端に止まっている。本願発明は、これに限定されず、一対の面状ファスナー２の両端部が袋本体の両側縁のシール部に挟まれて潰された状態に一体にシールされている場合を含む。
ポイントシール３は、面状ファスナー２の内方側の際でかつ長さ方向の中程において袋本体の前面部と後面部とを溶着しており、面状ファスナーのラッチ強度を補強する役目を果たす。ポイントシール３が必要であるか、不要であるかについては、一対の面状ファスナー２のラッチ強度と、袋幅（一対の面状ファスナー２の長さ）と内容積との相関関係できまる。
この実施の形態の水切り機能を有する包装袋を用いた包装体は、図１に示す包装体Ｐ１を逆さにして袋底部を開いて要水切り食品を収納し、ボトムシール１ｈを施したものである。（請求項１５参照）、
パッケージされた要水切り食品を水切りして食するには、一方のノッチ１ｆから他方のノッチ１ｆを結ぶように袋上端を切り開いてから、包装体を逆さにする。すると、一対の面状ファスナー２がラビリンスの隙間を有して噛み合っており、開かないから水だけがラビリンスの隙間を通って排出する。
水切りが終了したら、再封性が必要でないときは、ノッチ１ｇから袋を切り開いて食品の全量を取り出すようにするか、又、再封性が必要であるときは、ノッチ１ｇからの袋の切り開きを行わないで袋の逆さ状態を元に戻して、一対の面状ファスナー２を大きく開いて、食品を必要量取り出し、一対の面状ファスナー２を閉じて残りを水切り状態のままで仕舞っておく。
ポイントシール３を設ける中袋、大袋では、一対の面状ファスナー２を開いて、さらに、ポイントシール３のところで袋本体の前面部と後面部とが破れないように開く。このため、ポイントシール３はあまり強いヒートシールとしない。
【実施例１】
【０００８】
図１に示すポイントシール３を設けず、またトップシール１ｅを施さない種々の大きさの袋を作り、袋を逆さにして水を入れて、一対の雄型の面状ファスナー５が開いてしまうかどうかをテストした。
図１中の袋幅Ｌを１３０ｍｍの袋に７００ｃｃの水を入れたとき、袋を逆さにすると、一対の雄型の面状ファスナー２が開かないことが確認された。
図１中の袋幅Ｌを１３０ｍｍの袋に８００ｃｃの水を入れたとき、袋を逆さにすると、一対の雄型の面状ファスナー２が開いてしまった。
図１中の袋幅Ｌを１４０ｍｍの袋に７００ｃｃの水を入れたとき、袋を逆さにすると、一対の雄型の面状ファスナー２が開いてしまった。
これにより、図１に示すポイントシール３を設けない袋は、袋幅Ｌを１３０ｍｍ、内容積約７００ｃｃ以下の小袋に限定する必要があることが分かった。
【実施例２】
【０００９】
図１に示すポイントシール３を袋幅中央に１つ設け、トップシール１ｅを施さない種々の大きさの袋を作り、水を入れて袋を逆さにして、一対の雄型の面状ファスナー５が開いてしまうかどうかをテストした。
図１中の袋幅Ｌを１３０ｍｍの袋に８００ｃｃの水を入れたとき、袋を逆さにすると、一対の雄型の面状ファスナー２が開かなかった。
図１中の袋幅Ｌを１５０ｍｍの袋に１０００ｃｃの水を入れたとき、袋を逆さにすると、一対の雄型の面状ファスナー２が開かなかった。
これにより、中袋、大袋では、図１に示すポイントシール３を袋幅中央に少なくとも１つ設ければ、一対の雄型の面状ファスナー２のラッチ強度を有効に補強できることが分かった。
【００１０】
次に、第２の実施の形態を図２を参照して説明する。（請求項２、５参照）、
第２の実施の形態に係る水切り機能を有する包装袋Ｐ２は、図１に示す包装袋Ｐ１と同様に、三方シール袋である袋本体１で構成されており、一対の面状ファスナー２を有している点、サイドシール１ｃ，１ｄの上部にノッチ１ｆが設けられている点は、同一の構成である。袋本体１は、前面部１ａと後面部１bを、遮水性を備えるべく矩形な積層包材で形成してかつ内面をヒートシール性を有する樹脂フィルムとして、内面同士を重ねてサイドシール１ｃ，１ｄ及びボトムシール１ｈを施してなる三方シール袋として形成されている。
この包装体Ｐ２は、面状ファスナー２に対応した袋上縁を未シールにしてここを要水きり食品を収納するための開口が確保されているタイプなので、図中のポイントシール３は、水切り機能を有する包装袋Ｐ２を製造する段階では付与されず、中袋用、大袋用を対象に、要水切り食品を収納した後に付与される。（請求項２参照、請求項６参照、請求項１６参照）
一対の面状ファスナー２を、サイドシール１ｃ，１ｄを施す前に、袋本体１の内部の上部に嵌着状態に挿入して取付けてある点も図１に示す包装袋Ｐ１と同一である。
再封性が必要でないときは、サイドシール１ｃ，１ｄの下部に、図１に示す包装袋Ｐ１と同様の目的の、ノッチ１ｇを設けても良い。
この実施の形態の水切り機能を有する包装袋を用いた包装体は、図２に示す包装袋Ｐ２の上部の一対の面状ファスナー２を開いて要水切り食品を収納し、面状ファスナー２を閉じてトップシール１ｅを施したものであり、中袋用、大袋用についてはさらにポイントシール３を施したものである。（請求項１５参照）、
従って、この包装袋Ｐ２を用いた包装体は、小袋用ではポイントシール３を設けても、設けなくてもいずれでも良く、中袋用、大袋用ではポイントシール３を設ける必要がある。
一対の面状ファスナー２の構造・取り付け方・機能・役割並びにポイントシール３の機能・役割、要・不要及び寸法Ｌとの関係は、図１に示す包装袋Ｐ１におけるポイントシール３と全く同一である。
又、パッケージされた要水切り食品を水切りして食する際の取り扱いは、図１に示す包装袋Ｐ１と全く同一である。
【００１１】
次に、第３の実施の形態を図３を参照して説明する。（請求項１、３、６参照）、
第３の実施の形態に係る水切り機能を有する包装袋Ｐ３は、図１に示す包装袋Ｐ１と同様に、三方シール袋である袋本体１で構成されており、一対の面状ファスナー２と、ポイントシール３を有している点、サイドシール１ｃの上部及び下部にノッチ１ｆ,１ｇが設けられている点は、同一の構成である。
袋本体１は、前面部１ａと後面部１ｂとを重ねて、トップシール１ｅと片側のサイドシール１ｃとボトムシール１ｈが施された三方シール袋として形成されている。（請求項６参照）
一対の面状ファスナー２を、サイドシール１ｃを施す前に、袋本体１の内部の上部に嵌着状態に挿入して取付けてある点も図１に示す包装袋Ｐ１と同一である。
一対の面状ファスナー２の構造・取り付け方・機能・役割並びにポイントシール３の機能・役割、要・不要及び寸法Ｌとの関係は、図１に示す包装袋Ｐ１におけるポイントシール３と全く同一である。
この実施の形態の水切り機能を有する包装袋を用いた包装体は、図３に示す包装袋Ｐ３を横にして開口を上にして開いて要水切り食品を収納し、サイドシール１ｄを施したものである。（請求項１５参照）、
パッケージされた要水切り食品を水切りして食する際の取り扱いは、図１に示す包装袋Ｐ１と全く同一である。
この包装袋Ｐ３を時計回り又は半時計周りに９０度向きを替えると、袋本体は、ボトムシールまたはトップシールと両側のサイドシールが設けられた三方シール袋であって、前記一対の面状ファスナーが一方のサイドシールに沿って設けられ、前記面状ファスナーの袋端縁側の近傍を切り開くためのノッチがボトムシール部分またはトップシール部分に設けられている包装袋となるが、このように、一対の面状ファスナー２が、袋本体１の上端、側端、又は下端のいずれかに内面対向位置にほぼ全長にわたるように嵌合し閉じた状態に接着されている、いずれの場合も、本願発明発明に含まれる。（請求項１、２、３参照）
【００１２】
次に、第４の実施の形態を図４を参照して説明する。（請求項７参照）、
第４の実施の形態に係る水切り機能を有する包装袋Ｐ４は、図３に示す包装袋Ｐ３と略同一の構成であるので、相違点について説明し、他は説明を省略する。相違点は、袋本体１を構成する前面部１ａと後面部１ｂとが底部に折り返しがくるように包材を半折したことにある。従って、袋を横にしてサイドシールが施されていない側を上にして開いて要水切り食品を包装袋Ｐ４内に入れて、サイドシール１ｄを施すと、包装体になる。この包装袋Ｐ４は、下端が折り返されているから、若干自立性がある。
このように、本願発明は、図１に示す包装袋Ｐ１、図２に示す包装袋Ｐ２について、前面部１ａと後面部１ｂが包材を半折したものを含んでいる。
【００１３】
次に、第５の実施の形態を図５を参照して説明する。（請求項１、３、８参照）、
第５の実施の形態に係る水切り機能を有する包装袋Ｐ５は、スタンドパウチである袋本体１で構成されている点に特徴がある。袋本体１は、前面部１ａと後面部１ｂと断面逆さＶ型に二つ折りのボトムガセット１ｉを重ねて、トップシール１ｅと片側のサイドシール１ｃ，と舟底型の底面を形成するボトムシール１jが施され、他側のサイドシールが、符号１ｄ’，１ｄ’で示すように中程を大きく避けて上部及び下部にシールされてなり、もって、シールされていない部分が要水切り食品の収納口になっている。
包装袋Ｐ５は、食品を収納するための開口が側縁部にきている点は、図３と同様である。従って、包装袋Ｐ５は、面状ファスナー２を避けた袋側縁を未シールにしてここを要水きり食品を収納するための開口が確保されているタイプなので、図１に示す包装体Ｐ１について説明したように、ポイントシール３を設けなくても良い小袋用（請求項1参照）と、ポイントシール３を設ける必要がある中袋用、大袋用（請求項３参照）とがある。
一対の面状ファスナー２の構造・取り付け方・機能・役割並びにポイントシール３の機能・役割、及び寸法Ｌとの関係は、図１に示す包装体Ｐ１について説明したように、全く同一である。
この実施の形態の水切り機能を有する包装袋を用いた包装体は、図５に示す包装袋Ｐ５を横にして開口を上にして開いて要水切り食品を収納し、サイドシール１ｄ”を施したものである。（請求項１５参照）、
パッケージされた要水切り食品を水切りして食するには、一方のノッチ１ｆから他方のノッチ１ｆを結ぶように袋上端を切り開いてから、一対の面状ファスナー２を開かないままに包装体を逆さにして、ラッチ強度により開かない一対の面状ファスナー２のラビリンスの隙間を通して排水する。
水切りが終了したら、一対の面状ファスナー２を大きく開いて、食品を取り出す。ポイントシール３を設けた中袋、大袋において、袋本体の前面部と後面部とがポイントシール３のところで破れることなく接着が容易に剥離する。必要量の食品を取り出し、一対の面状ファスナー２を閉じ合わせて、残りは水切り状態のままで仕舞っておくことができる。
【００１４】
次に、第６の実施の形態を図６を参照して説明する。（請求項２、９参照）、
第６の実施の形態に係る水切り機能を有する包装袋Ｐ６は、図５に示す包装袋Ｐ５と同様に、スタンドパウチである袋本体１で構成されている点に特徴があり、一対の面状ファスナー２、サイドシール１ｃ，１ｄ、ノッチ１ｆの設け方は、図２と同一の構成である。
この包装体Ｐ６は、図２に示す包装袋Ｐ２と同様に、面状ファスナー２に対応した袋上縁を未シールにしてここを要水きり食品を収納するための開口が確保されているタイプなので、図中のポイントシール３は、水切り機能を有する包装袋Ｐ２を製造する段階では付与されず、中袋用、大袋用を対象に、要水切り食品を収納した後に付与される。（請求項２参照、請求項１６参照）
袋本体１は、前面部１ａと後面部１ｂと断面逆さＶ型に二つ折りのボトムガセット１ｉを重ねて、サイドシール１ｃ，１ｄと舟底型の底面を形成するボトムシール１jが施されてなる。
一対の面状ファスナー２を、サイドシール１ｃ，１ｄを施す前に、袋本体１の内部の上部に嵌着状態に挿入して取付けてある点は図１に示す包装袋Ｐ１と同一である。
この実施の形態の水切り機能を有する包装袋を用いた包装体は、図６に示す包装袋Ｐ６の上部の一対の面状ファスナー２を開いて要水切り食品を収納し、面状ファスナー２を閉じてトップシール１ｅを施したものであり、中袋用、大袋用についてはさらにポイントシール３を施したものである。（請求項１６参照）、
一対の面状ファスナー２の構造・取り付け方・機能・役割並びにポイントシール３の機能・役割、要・不要及び寸法Ｌとの関係は、図１に示す包装袋Ｐ１におけるポイントシール３と全く同一である。
パッケージされた要水切り食品を水切りして食する際の水切りの手順、水切り後の全量・必要量の取り出しについては、図５に示す包装袋Ｐ５と同一である。
【００１５】
次に、第７の実施の形態を図７を参照して説明する。（請求項１、３、１０参照）、
第７の実施の形態に係る水切り機能を有する包装袋Ｐ７は、袋本体と、一対の面状ファスナー２とポイントシール３を有している。
包装袋Ｐ７は、筒体１Ａと、帽子部１Ｂとからなる袋本体の形態に特徴がある。
筒体１Ａは、前面部１ａと後面部１b と両側のサイドガセット１ｍ、１ｎにサイドシール１ｃ、１ｄが施されて四隅に縦リブを有してなる。帽子部１Ｂは、頭部前面部と頭部後面部の二枚の矩形包材（符号なし）を袋主部１Ａの前面部１ａと後面部１bの上端外側に重ねて、袋主部１Ａに対して接続ヒートシール１ｋが施されているとともに、サイドシール１ｐ、１ｑが施されてなる。ボトムシール１ｈは製袋時には施されず、袋下端が、要水切り食品を収納口になっている。
帽子部１Ｂと袋主部１Ａとが重なる面、すなわち、帽子部１Ｂを構成する頭部前面部と頭部後面部の内面下端縁及び袋主部１Ａを構成する前面部１ａと後面部１bの外面上端縁には、帽子部１Ｂ及び袋主部１Ａの内面のヒートシール温度よりも所要温度低いシール温度で溶着する加熱接着剤がパートコートされていることにより、袋主部１Ａに帽子部１Ｂが被さり加熱接着されている。このパートコートは、左右一対のサイドガセット１ｍ、１ｎの半折された密着面（袋外面）の上端縁にも施されていて、サイドガセット１ｍ、１ｎの上端を接着密閉している。帽子部１Ｂは、サイドガセット筒の袋主部１Ａを有する袋本体１の上部に平袋の形態を与えて、被包装物の機械充填を行い易くしている。一対の面状ファスナー２は、帽子部１Ｂを構成する頭部前面部と頭部後面部に挟まるように取り付けられている。
一対の面状ファスナー２は、袋本体よりも上側に位置し、帽子部１Ｂを構成する頭部前面部と頭部後面部に挟まるように取り付けられている。そして、面状ファスナー２よりも僅か上に位置してサイドシール１ｐ、１ｑにノッチ１ｆが設けられている。
一対の面状ファスナー２の構造・取り付け方・機能・役割並びにポイントシール３の機能・役割、要・不要及び寸法Ｌとの関係は、図１に示す包装袋Ｐ１におけるポイントシール３と全く同一である。
ポイントシール３は、図では、筒体１Ａと帽子部１Ｂとの接続部に設けられているが、熱が通りにくいので、筒体１Ａの上端と、面状ファスナー２との距離を取って、帽子部１Ｂに対して付与するのが好ましい。
この実施の形態の水切り機能を有する包装袋を用いた包装体は、図７に示す包装袋Ｐ７を逆さにして開口を開いて要水切り食品を収納し、ボトムシール１ｈを施したものである。（請求項１５参照）、
【００１６】
次に、第８の実施の形態を図８を参照して説明する。（請求項１、３、１１参照）、
第８の実施の形態に係る水切り機能を有する包装袋Ｐ８は、袋本体１と、一対の面状ファスナー２を有している。
一対の面状ファスナー２は、袋本体１よりも上側に位置し、帽子部１Ｂを構成する頭部前面部と頭部後面部に挟るように取り付けられている。
一対の面状ファスナー２の構造・取り付け方・機能・役割並びにポイントシール３の機能・役割、要・不要及び寸法Ｌとの関係は、図１に示す包装袋Ｐ１におけるポイントシール３と全く同一である。
包装袋Ｐ７は、袋本体１の形態に特徴がある。
袋本体１は、サイドガセットを有する袋主部１Ａと、該袋主部１Ａの上端外側に重ねて接着延在する帽子部１Ｂとからなる。
袋主部１Ａは、前面部１ａと、後面部１bと、前面部１ａと後面部１bの両側部間に縦に半折された左右一対のサイドガセット１ｍ、１ｎとを有し、サイドシール１ｃ、１ｄを付与されて四隅に縦リブを形成されてなる。
帽子部１Ｂは、頭部前面部と頭部後面部の二枚の矩形包材（符号なし）を袋主部１Ａの前面部と後面部の上端外側に重ねて、袋主部１Ａに対して接続ヒートシール１ｋが施されているとともに、サイドシール１ｐ、１ｑが施されてなる。面状ファスナー２よりも僅か上に位置してサイドシール１ｐ、１ｑにノッチ１ｆが設けられている。
袋を製造する段階では、袋本体１に、トップシール１ｅ及びポイントシール３が施さない。袋本体１の上端を要水切り食品を収納口としているためである。
この包装体Ｐ８は、袋上縁を未シールにしてここに開口を確保して面状ファスナー２を開いて要水きり食品を収納するタイプなので、図中のポイントシール３は、水切り機能を有する包装袋Ｐ８を製造する段階では付与されず、中袋用、大袋用を対象に、要水切り食品を収納した後に付与される。（請求項２参照、請求項１１参照、請求項１６参照）
この実施の形態の水切り機能を有する包装袋を用いた包装体は、図８に示す包装袋Ｐ８の面状ファスナー２を開いて要水切り食品を収納し、面状ファスナー２を閉じてトップシール１ｅを施したものであり、中袋用、大袋用についてはさらにポイントシール３を施したものである。（請求項１６参照）、
一対の面状ファスナー２の構造・取り付け方・機能・役割並びにポイントシール３の機能・役割、及び寸法Ｌとの関係は、図１に示す包装袋Ｐ１の場合と同一であり、説明を省略する。
上記のようにパッケージされた要水切り食品を水切りして食するには、図７に示す水切り機能を有する包装袋Ｐ７を用いた包装体の場合と同一の手順で行うことができる。
【００１７】
次に、第９の実施の形態を図９を参照して説明する。（請求項１３参照）
第９の実施の形態に係る水切り機能を有する包装袋Ｐ９は、三方シール袋である袋本体１と、短い一対の面状ファスナー２とを有してなる。
この包装袋Ｐ９は、図１に示す包装袋Ｐ１について、一対の面状ファスナー２の長さを短くして片側に寄せて取り付けてなる変形、に相当するものである。
該包装袋Ｐ９は、面状ファスナー２の長さが短いので、面状ファスナー２の内側の際の長さ中央にポイントシールを設ける必要がない。ポイントシールを設けない場合、面状ファスナー２の長さは最大１２０ｍｍ位とすることができるが、この実施の形態では、水切りが円滑に短時間に行える短さを求めており、袋幅の２分の１位〜４分の１位であることが好ましい。
袋本体１は、面状ファスナー２を短くしたことにより、図１に示す袋本体１に比べて、トップシール１ｅの設け方が相違している。包装袋Ｐ９は、トップシール１ｅによって形成されている狭窄な排水通路１ｔを横切って一対の面状ファスナー２が設けられている。トップシール１ｅは、排水通路を形成して面状ファスナー２を設けるために丈が大きい。
面状ファスナー２が片側に寄っていることに対応して該片側のサイドシール１ｄの上部にノッチ１ｆが面状ファスナー２よりも僅か上に位置して設けられていて、該ノッチ１ｆより、引き裂いて排水通路を開放することができる。また、食品を取り出すために、サイドシール１ｃ,１ｄの下部にノッチ１ｄ,１ｄが設けられている。
包装袋Ｐ９は、ボトムシール１ｈが付与されておらず、袋下端が要水きり食品の収納口になっている。
この実施の形態の水切り機能を有する包装袋を用いた包装体は、図９に示す包装袋Ｐ９を逆さにして開口を上にして開いて要水切り食品を収納し、ボトムシール１ｈを施したものである。（請求項１５参照）
パッケージされた要水切り食品を水切りして食するには、ノッチ１ｆから面状ファスナー２の上側を切り開いてから、包装体を逆さにする。すると、一対の面状ファスナー２がラビリンスの隙間を有して噛み合っており、開かないから水だけがラビリンスの隙間を通って排出する。水切りが終了したら、一対の面状ファスナー２を開かないままにして、袋を逆さにして、一方のノッチ１ｇから他方のノッチ１ｇを結ぶように袋下端を切り開いて、食品を取り出す。
この実施の形態に対する変形として、図９に示す包装袋Ｐ９を時計回り又は反時計回りに９０度回転して袋開口を側部に持ってきた袋形態や袋の上下を逆にした袋形態は、この実施の形態と同一であり、本願発明に含まれる。さらに、一対の面状ファスナー２をサイドシール１ｃの上部又は下部に内側に沿って設けても良く、さらに、図９に示す包装袋Ｐ９について、一対の面状ファスナー２をそのままにして、袋開口を袋側部や袋上部に持ってきた場合も、本願発明に含まれる。
【００１８】
次に、第１０の実施の形態を図１０を参照して説明する。（請求項１３参照）
この実施の形態に係る水切り機能を有する包装袋Ｐ１０は、スタンドパウチである袋本体１と、一対の面状ファスナー２とを有してなる。
この包装袋Ｐ１０は、図５に示す包装袋Ｐ５について、一対の面状ファスナー２の長さを短くして片側に寄せて取り付けてなる変形、に相当するものである。
袋本体１は、図５に示す包装袋Ｐ５の袋本体１と同一の構成である。サイドシールは、片側が符号１ｄで示すように全長に渡りシールされており、他側は符号１ｃ’，１ｃ’で示すように中程を大きく避けて上部及び下部にシールされており、もって、シールされていない部分が要水切り食品を収納口になっている。この包装袋Ｐ１０は、面状ファスナー２から離れた側が、要水きり食品の収納口になっているが、サイドシール１ｄの側を収納口としても良い。
この包装袋Ｐ１０における、トップシール１ｅの設け方、面状ファスナー２の設け方及びポイントシールを有していない点に関しては、図９に示す包装袋Ｐ９と同一である。
この包装袋Ｐ１０は、ノッチの位置が重要である。サイドシール１ｄの上部にノッチ１ｆが面状ファスナー２よりも僅か上に位置して設けられていて、該ノッチ１ｆより引き裂いて排水通路１ｔを開放することができる。また、食品を取り出すために、面状ファスナー２よりも僅か下に位置するように、サイドシール１ｃ’,１ｄにノッチ１ｒ,１ｒが設けられている。
この実施の形態の水切り機能を有する包装袋を用いた包装体は、図１０に示す包装袋Ｐ１０を横にして開口を上にして開いて要水切り食品を収納し、サイドシール１ｃ”を施したものである。（請求項１５参照）
パッケージされた要水切り食品を水切りして食するには、ノッチ１ｆより引き裂いて排水通路１ｔを開放し包装体を逆さにする。すると、一対の面状ファスナー２がラビリンスの隙間を有して噛み合っており、開かないから水だけがラビリンスの隙間を通って排出する。水切りが終了したら、一対の面状ファスナー２を開かないままにして（面状ファスナー２を開いて食品を取り出すことは不適）、一方のノッチ１ｒから他方のノッチ１ｒを結ぶように袋上部を切り開いて、食品を取り出す。
従って、この実施の形態は再封性がないので一回に全量使用の要水切り食品に適している。
【００１９】
次に、第１１の実施の形態を図１１を参照して説明する。（請求項１４参照）
この実施の形態に係る水切り機能を有する包装袋Ｐ１１は、三方シール袋である袋本体１と、短い一対の面状ファスナー２と、ポイントシール３を有してなる。
この包装袋Ｐ１１は、図１に示す包装袋Ｐ１について、一対の面状ファスナー２の長さを短くして斜めに付けてなる変形、に相当するものである。
袋本体１は、図１に示す包装袋Ｐ１の袋本体１と同一の構成である。
この包装袋Ｐ１１の特徴は、面状ファスナー２が、袋本体１の上部コーナー部を斜めに仕切り、三角形の狭窄な排水通路１ｔを形成している点である。この特徴は、図１〜図４、図９とは別の形態的なバリエーションを備えるために採択している。
又、この包装袋Ｐ１１の特徴として、一対の面状ファスナー２を長さを短く設けるにもかかわらず、面状ファスナー２の内側の際の長さ中央にポイントシール３を設けてラッチ強度を補強している点である。その理由は、面状ファスナー２を袋本体１の上部コーナー部を三角形に仕切るように設けるときには、面状ファスナー２の長さが短くても、面状ファスナー２の長さ中央ではサイドシール及びトップシールからの垂直距離が大きく離れるために、大きな開口力が集中して面状ファスナー２が容易に開いてしまうために、ポイントシール３を設けて面状ファスナー２のラッチ強度を補強し開口力に勝るようにするためである。
面状ファスナー２の長さは４０ｍｍ位〜８０ｍｍ位であることが好ましい。
図では、面状ファスナー２の両端がサイドシール１ｃとトップシール１ｅに挟まれていて、重ねてパンチシールされて密封性が担保されている。なお、面状ファスナー２の両端がサイドシール１ｃとトップシール１ｅに掛からないで内側で止まっていても良い。
一対の面状ファスナー２の各ベース部の外面が、袋本体１を構成している前面部１ａと後面部１ｂの内面と溶着されていることは、図１に示す袋本体１の場合と同一である。
袋本体１は、食品を取り出すために、サイドシール１ｃ,１ｄの下部にノッチ１ｇ,１ｇが設けられている。
この包装袋Ｐ１１は、ボトムシール１ｈが付与されておらず、袋下端が要水きり食品の収納口になっている。
この実施の形態の水切り機能を有する包装袋を用いた包装体は、図１１に示す包装袋Ｐ１１を逆さにして開口を上にして開いて要水切り食品を収納し、サイドシール１ｈを施したものである。（請求項１５参照）
パッケージされた要水切り食品を水切りして食するには、ノッチ１ｆから面状ファスナー２の上側を斜めに切り開いて排水通路１ｔを開放してから、包装体を逆さにする。すると、一対の面状ファスナー２がラビリンスの隙間を有して噛み合っており、開かないから水だけがラビリンスの隙間を通って排出する。水切りが終了したら、一方のノッチ１ｇから他方のノッチ１ｇを結ぶように袋下端を切り開いて、食品を取り出す。なお、図示にように、サイドシール１ｄの上部にノッチ１ｓを設けてトップシール１ｅに沿って切り開き、面状ファスナー２の内側に沿って切り開けるようになっていても良い。
この実施の形態に対する変形として、図１１に示す包装袋Ｐ１１を９０度回転して袋開口を側部に持ってきた袋形態や袋の上下を逆にした袋形態は、この実施の形態と同一であり、本願発明に含まれる。さらに、図９に示す包装袋Ｐ９について、一対の面状ファスナー２をそのままにして、袋開口を袋側部や袋上部に持ってきた場合も、本願発明に含まれる。
【００２０】
次に、第１２の実施の形態を図１２を参照して説明する。（請求項１４参照）
この実施の形態に係る水切り機能を有する包装袋Ｐ１２は、スタンドパウチである袋本体１と、短い一対の面状ファスナー２と、ポイントシール３を有してなる。
この包装袋Ｐ１２は、図５に示す包装袋Ｐ５について、一対の面状ファスナー２の長さを短くして斜めに付け、袋開口を袋上端に持って変形、に相当するものである。
袋本体１は、図５に示す包装袋Ｐ５の袋本体１と同一の構成である。
この包装袋Ｐ１２の特徴は、面状ファスナー２が、袋本体１の上部コーナー部を斜めに仕切り、三角形の狭窄な排水通路１ｔを形成している点である。この特徴は、図５、図６、図１０とは別の形態的なバリエーションを備えるために採択している。
この包装袋Ｐ１２に関して、面状ファスナー２を設けて三角形の狭窄な排水通路１ｔを形成しポイントシール３を施す点は、図１１に示す包装袋Ｐ１１の場合と同一であり説明を省略する。
トップシールは、三角形の狭窄な排水通路１ｔを形成するために、符号１ｅ’の部分が施されていて、残りの袋上端はシールされておらず、要水切り食品を収納口になっている。なお、面状ファスナー２から離れたサイドシール１ｄの側を収納口としても良い。（図５参照）
この包装袋Ｐ１２は、ノッチの位置が重要である。サイドシール１ｃの上部にノッチ１ｆが面状ファスナー２よりも僅か上に位置して設けられていて、該ノッチ１ｆより面状ファスナー２に沿って斜めに引き裂いて排水通路１ｔを開放することができる。また、食品を取り出すために、サイドシール１ｄの上部にノッチ１ｒが設けられている。
この実施の形態の水切り機能を有する包装袋を用いた包装体は、図１２に示す包装袋Ｐ１２の開口を開いて要水切り食品を収納し、トップシール１ｅ”を施したものである。（請求項１５参照）
パッケージされた要水切り食品を水切りして食するには、ノッチ１ｆより引き裂いて排水通路１ｔを開放し包装体を逆さにする。一対の面状ファスナー２のラビリンスの隙間から水が通り抜けるから水切りできる。水切りが終了したら、ノッチ１ｒからトップシール１ｅ”の下側を切り開いて、食品を取り出す。
従って、この実施の形態も再封性がないので一回に全量使用の要水切り食品に適している。
この実施の形態に対する変形として、袋開口を側部に持ってきた袋形態は本願発明に含まれる。
【００２１】
本願発明に係る包装袋を製作するための包材は例えば以下のような積層フィルムを採用することができる。
(1) PET 12μm／接着剤／LLDPE 60μm ・・・・（外層／内層：シーラント）
(2) O-Ny 15μm／接着剤／LLDPE 60μm ・・・・（外層／内層：シーラント）
(3) PET 20μm／接着剤／一軸延伸または二軸延伸HDPE 20μm／接着剤／LLDPE 50μm・・・・（外層／中間層／内層：シーラント）
(4) O-Ny 15μm／接着剤／一軸延伸または二軸延伸HDPE 20μm／接着剤／LLDPE 50μm・・・・（外層／中間層／内層：シーラント）
(5) PET 12μm／接着剤／アルミニウム箔／接着剤／LLDPE 60μm・・・・（外層／中間層／内層：シーラント）
(6) PET 12μm（シリカ又はアルミナ蒸着層）／接着剤／一軸延伸または二軸延伸HDPE 20μm／接着剤／LLDPE 50μm・・・・（外層／中間層／内層：シーラント）
(7) PET 12μm／接着剤／アルミニウム箔／接着剤／O-Ny 15μm／接着剤／LLDPE 50μm・・・・（外層／中間層／中間層／中間層／内層：シーラント）
(8) 紙 100g/ｍ2／PE 20μm／LLDPE 50μm・・・・（外層／内層：シーラント）
(9) PET 12μm／接着剤／LLDPE 60μm ・・・・（外層／内層：シーラント）
(10) PET・SiOx 12μm／接着剤／LLDPE 100μm ・・・・（外層／内層：シーラント）
【図面の簡単な説明】
【００２２】
【図１】本願発明の第１の実施の形態に係る水切り機能を有する包装袋の正面図
【図２】本願発明の第２の実施の形態に係る水切り機能を有する包装袋の正面図
【図３】本願発明の第３の実施の形態に係る水切り機能を有する包装袋の正面図
【図４】本願発明の第４の実施の形態に係る水切り機能を有する包装袋の正面図
【図５】本願発明の第５の実施の形態に係る水切り機能を有する包装袋の正面図
【図６】本願発明の第６の実施の形態に係る水切り機能を有する包装袋の正面図
【図７】本願発明の第７の実施の形態に係る水切り機能を有する包装袋の正面図
【図８】本願発明の第８の実施の形態に係る水切り機能を有する包装袋の正面図
【図９】本願発明の第９の実施の形態に係る水切り機能を有する包装袋の正面図
【図１０】本願発明の第１０の実施の形態に係る水切り機能を有する包装袋の正面図
【図１１】本願発明の第１１の実施の形態に係る水切り機能を有する包装袋の正面図
【図１２】本願発明の第１２の実施の形態に係る水切り機能を有する包装袋の正面図
【符号の説明】
【００２３】
Ｐ１〜Ｐ１２・・・水切り機能を有する包装袋、１・・・袋本体、
１,１Ａ・・・袋本体、１Ｂ・・・帽子部、
２・・・一対の面状ファスナー、３・・・ポイントシール、
１ａ・・・前面部、１ｂ・・・後面部、
１ｃ, １ｃ’, １ｃ”, １ｄ,１ｄ’,１ｄ”,１ｐ,１ｑ・・・サイドシール、
１ｅ・・・トップシール、１ｈ,１ｊ・・・ボトムシール、１ｋ・・・接続シール
１ｆ,１ｇ,１ｒ,１ｓ・・・ノッチ、
【図１】
2005324827.tif 000003
【図２】
2005324827.tif 000004
【図３】
2005324827.tif 000005
【図４】
2005324827.tif 000006
【図５】
2005324827.tif 000007
【図６】
2005324827.tif 000008
【図７】
2005324827.tif 000009
【図８】
2005324827.tif 000010
【図９】
2005324827.tif 000011
【図１０】
2005324827.tif 000012
【図１１】
2005324827.tif 000013
【図１２】
2005324827.tif 000014